(57)【要約】      （修正有）【課題】往復式ディスペンサーの接着剤吐出切替装置及び二液接着剤塗布設備を提供する。【解決手段】往復式ディスペンサーの接着剤吐出切替装置は、二液供給通路２７０が設けられる切替装置本体２１０と、接着剤排出通路２８０が設けられる針先固定ベース２２０と、切替装置本体と針先固定ベースとの間に取り付けられ、且つ耐摩耗性摺動シート開口２４２が設けられる耐摩耗性摺動シート２４０と、二液供給通路、耐摩耗性摺動シート開口及び接着剤排出通路が重なる場合、混合された二液接着剤が二液供給通路、耐摩耗性摺動シート開口及び接着剤排出通路を通過して、接着剤塗布を行うように、耐摩耗性摺動シートを移動させるためのドライバ２３０と、を備える。【選択図】図２
0003232582.tif 000002
【実用新案登録請求の範囲】
【請求項１】
二液供給通路が設けられる切替装置本体と、
接着剤排出通路が設けられる針先固定ベースと、
前記切替装置本体と前記針先固定ベースとの間に取り付けられ、且つ耐摩耗性摺動シート開口が設けられる耐摩耗性摺動シートと、
前記二液供給通路、前記接着剤排出通路及び前記耐摩耗性摺動シート開口が重なる場合、混合された二液接着剤が前記二液供給通路、前記耐摩耗性摺動シート開口及び前記接着剤排出通路を通過して、接着剤塗布を行うように、前記耐摩耗性摺動シートを移動させるためのドライバと、
を備える往復式ディスペンサーの接着剤吐出切替装置。
【請求項２】
前記針先固定ベースの前記接着剤排出通路に取り付けられる針先を更に備える請求項１に記載の往復式ディスペンサーの接着剤吐出切替装置。
【請求項３】
前記ドライバと前記耐摩耗性摺動シートとを接続する駆動ロッドを更に備える請求項１乃至２の何れか１項に記載の往復式ディスペンサーの接着剤吐出切替装置。
【請求項４】
前記切替装置本体と前記針先固定ベースとの間に形成されるシュートを更に備える請求項１乃至３の何れか１項に記載の往復式ディスペンサーの接着剤吐出切替装置。
【請求項５】
前記耐摩耗性摺動シートは、テフロンの耐摩耗性摺動シートを含む請求項１乃至４の何れか１項に記載の往復式ディスペンサーの接着剤吐出切替装置。
【請求項６】
前記ドライバは、空気圧シリンダを含む請求項１乃至５の何れか１項に記載の往復式ディスペンサーの接着剤吐出切替装置。
【請求項７】
前記ドライバは、液圧シリンダを含む請求項１乃至５の何れか１項に記載の往復式ディスペンサーの接着剤吐出切替装置。
【請求項８】
請求項１乃至７の何れか１項に記載の往復式ディスペンサーの接着剤吐出切替装置と、
前記往復式ディスペンサーの接着剤吐出切替装置の前記二液供給通路に接続される攪拌管と、
を備える二液接着剤塗布設備。
【請求項９】
前記攪拌管に接続される二液弁を更に備える請求項８に記載の二液接着剤塗布設備。
【請求項１０】
前記二液弁は、第１の液体供給弁及び第２の液体供給弁を含む請求項９に記載の二液接着剤塗布設備。
【考案の詳細な説明】
【技術分野】
【０００１】
本考案は、ディスペンサーの接着剤吐出切替装置に関し、且つ特に往復式ディスペンサーの接着剤吐出切替装置を有する二液接着剤塗布設備に関する。
【背景技術】
【０００２】
科学技術の発展に伴って、電子製品は、その軽薄化も、高精度化もますます進んでいる。自動ディスペンサーは、パッケージング業界に対して開発された自動化設備であり、接着剤を制御してワーク製品に滴下又は塗布することで、製品のパッケージングを達成するものであり、グルーマシン装置又は糊付機とも呼ばれる。産業化の発展に伴って、自動ディスペンサーによって人的資源の使用が低下するので、人力の不足の現象はある程度緩和された。
【０００３】
接着剤塗布の技術も、パネルモジュールの薄型化及び額縁の小型化に従って、より精確に要求されるようになる。精密な接着剤塗布技術は、パネル産業への適用に加えて、接着を要求する様々な製品に使用されることもでき、接着剤塗布技術の精確性の向上に伴って、現在の適用分野も日増しに広くなっている。従来のディスペンサーとしては、各業種に非常に広く適用され且つ電子業界に対してより不可欠なパッケージング設備となるが、電子製品のますますの精密化、ディスプレイのますますの大型化、額縁のサイズのますますの小型化により、ディスペンサーの精確性と信頼性を如何に更に向上させるかは、ディスペンサーの適用範囲及び適用の産業を更に向上させることができる。
【０００４】
ディスペンサーの接着剤吐出の安定性が電子製品の品質向上に寄与するため、ディスペンサーの精確性と信頼性を如何に向上させることができるかは、各業種の生産精度に寄与し、生産コストを低下させ、特に精密電子製品の生産に有利である。
【考案の概要】
【考案が解決しようとする課題】
【０００５】
考案内容は、読者に本開示内容を基本的に理解させるように、本開示内容の簡単な概要を提供することを意図する。この考案内容は、本開示内容の完璧な概述ではなく、且つ本考案の実施例の重要／肝心要素を指摘し又は本考案の範囲を界定することを意図するものではない。
【０００６】
本考案の目的の一つは、接着剤塗布を精確且つ安定に行うように、往復式ディスペンサーの接着剤吐出切替装置を提供することである。
【課題を解決するための手段】
【０００７】
上記目的を達成するために、本考案の一技術態様によると、二液供給通路が設けられる切替装置本体と、接着剤排出通路が設けられる針先固定ベースと、切替装置本体と針先固定ベースとの間に取り付けられ、且つ耐摩耗性摺動シート開口が設けられる耐摩耗性摺動シートと、二液供給通路、耐摩耗性摺動シート開口及び接着剤排出通路が重なる場合、混合された二液接着剤が二液供給通路、耐摩耗性摺動シート開口及び接着剤排出通路を通過して、接着剤塗布を行うように、耐摩耗性摺動シートを移動させるためのドライバと、を備える往復式ディスペンサーの接着剤吐出切替装置を開示する。
【０００８】
ある実施例において、往復式ディスペンサーの接着剤吐出切替装置は、針先固定ベースの接着剤排出通路に取り付けられる針先を更に備える。
【０００９】
またある実施例において、往復式ディスペンサーの接着剤吐出切替装置は、ドライバと耐摩耗性摺動シートとを接続する駆動ロッドを更に備える。
【００１０】
ある実施例において、往復式ディスペンサーの接着剤吐出切替装置は、切替装置本体と針先固定ベースとの間に設けられるシュートを更に備える。
【００１１】
ある実施例において、ドライバは、空気圧シリンダを含む。
【００１２】
ある実施例において、ドライバは、液圧シリンダを含む。
【００１３】
ある実施例において、耐摩耗性摺動シートは、テフロンの耐摩耗性摺動シートを含む。
【００１４】
また、本考案の別の態様によると、上記の往復式ディスペンサーの接着剤吐出切替装置と、往復式ディスペンサーの接着剤吐出切替装置の二液供給通路に接続される攪拌管と、を備える二液接着剤塗布設備を提供する。
【００１５】
ある実施例において、二液接着剤塗布設備は、攪拌管に接続される二液弁を更に備える。ただし、二液弁は、第１の液体供給弁及び第２の液体供給弁を含む。
【考案の効果】
【００１６】
そのため、本考案の開示する往復式ディスペンサーの接着剤吐出切替装置は、電子装置の接着剤塗布を正確に行い、且つ開閉時の接着剤に押圧力をかけないように、接着剤塗布の均一性と安定性を効果的に向上させることができる。
【００１７】
下記実施形態を参照すると、当業者であれば、本考案の基本的な精神や他の考案の目的、及び本考案の採用する技術手段と実施態様を容易に理解することができる。
【図面の簡単な説明】
【００１８】
下記の添付図面についての説明は、本考案の上記及び他の目的、特徴、メリットと実施例を理解しやすくするものである。
【図１】本考案の一実施例による二液接着剤塗布設備を示す模式図である。
【図２】本考案の一実施例による往復式ディスペンサーの接着剤吐出切替装置を示す側面模式図である。
【図３】本考案の一実施例による往復式ディスペンサーの接着剤吐出切替装置を示す上面模式図である。従来の作業方法によると、図面における様々な特徴と要素は比例して描かれたものではなく、最良の形態で本考案に関連する具体的な特徴と要素を呈するように図示される。また、異なる図面の間に、同一又は類似な要素符号で類似な要素／部材を指す。
【考案を実施するための形態】
【００１９】
本開示内容の記述をより詳細化して、充実させるためには、以下、本考案の実施態様と具体的な実施例について、説明的に記述するが、これは本考案の具体的な実施例を実施又は運用する唯一の形式ではない。実施形態には、複数の具体的な実施例の特徴及びこれらの具体的な実施例を構築と操作するための方法工程及びその順序が含まれる。しかしながら、他の具体的な実施例によって同一又は等価の機能と工程順序を実現してもよい。
【００２０】
本明細書で別に定義されないかぎり、ここで用いられる科学と技術用語の意味は、当業者が理解及び慣用する意味と同様である。また、コンテキストに衝突しない場合に、本明細書に用いられる単数名詞に当該名詞の複数形が含まれ、使用された複数名詞にも当該名詞の単数形が含まれる。
【００２１】
図１は二液接着剤塗布設備の模式図であり、図２は往復式ディスペンサーの接着剤吐出切替装置の側面模式図であり、図３は往復式ディスペンサーの接着剤吐出切替装置の上面模式図である。
【００２２】
本考案の一実施例に係る二液接着剤塗布設備を示す立体模式図である図１を参照されたい。図に示すように、本考案の実施例により開示される二液接着剤塗布設備１００は、二液弁１１０と、攪拌管１２０と、往復式ディスペンサーの接着剤吐出切替装置２００と、を備える。
【００２３】
二液弁１１０は、それぞれ主剤及び硬化剤を提供する第１の液体供給弁１１２及び第２の液体供給弁１１４を含み、また、主剤及び硬化剤が攪拌管１２０により均一に混合される。
【００２４】
ただし、主剤及び硬化剤は、第１の液体供給弁１１２及び第２の液体供給弁１１４の第１の液体入口１１６及び第２の液体入口１１８を介して第１の液体供給弁１１２及び第２の液体供給弁１１４の中に輸送され、また第１の液体供給弁１１２及び第２の液体供給弁１１４の回転子と固定子を介して攪拌管１２０まで輸送される。また、二液弁１１０は、２本の単液弁から構成されてもよいが、本考案はこれに限定されない。
【００２５】
ただし、主剤は、エポキシ樹脂、ポリウレタン、オルガノシリコン等のゲルであってよく、予め設定された比例で硬化剤と混合され、例えば、１０：１の比例で混合されてよいが、本考案はこれに限定されなく、使用される主剤と硬化剤の成分に応じて適当に混合されてよい。
【００２６】
一実施例において、第１の液体供給弁１１２及び第２の液体供給弁１１４としては、必要な液体を輸送するように、例えば、モーノポンプ（Ｍｏｎｏ  ｐｕｍｐ）のような、双頭螺線を有し且つ弾性的な中空型ブッシングの固定子及びそれに噛み合う回転子から組み合わせられる微量スクリューバルブを使用する。回転子が固定子内で連続して回転する場合、圧力の作用で、形成される密封キャビティが軸方向に沿って第１の液体入口１１６及び第２の液体入口１１８からそれぞれ主剤と硬化剤を吸入してから、攪拌管１２０まで送出する。
【００２７】
攪拌管１２０は、二液弁１１０に接続され、主剤と硬化剤の滞留時間を減少するように、好ましくは短い長さを有し且つ少ない翼数を有する。一実施例において、攪拌管１２０は、主剤と硬化剤とを十分に混合させ、且つ混合された液体の攪拌管１２０での滞留時間を低下させることができるように、１０個以下の混合翼を有し、好ましくは１２個以下の混合翼を有する。ただし、前記の翼は、好ましくは螺旋状の翼から形成される複数の混合翼であり、約８段の３６０度の翼により接続されてなる。
【００２８】
主剤と硬化剤は、攪拌管１２０の中で十分に混合された後で、接着剤塗布のプロセスを行うように、後端の往復式ディスペンサーの接着剤吐出切替装置２００に輸送される。
【００２９】
従来の二液接着剤塗布設備は、混合された接着剤を吐出し又はその吐出を停止するように、針先の位置でポゴピンによって開閉するが、ポゴピンが開閉する場合、接着剤塗布時に糸引き、粘性物質の蓄積又は太さのばらつき等の問題がよくあり、接着剤塗布の品質に影響を与えることになる。
【００３０】
しかしながら、本考案の開示する往復式ディスペンサーの接着剤吐出切替装置２００は、往復式の切替機構によって開閉される。そのため、開閉の力が混合された接着剤の流線方向に垂直であるので、開閉により接着剤を押し当てて針先の出口で圧力を発生させることはなく、接着剤塗布の品質を効果的に改善する。
【００３１】
図２と図３を参照すると、往復式ディスペンサーの接着剤吐出切替装置２００は、切替装置本体２１０と、針先固定ベース２２０と、耐摩耗性摺動シート２４０と、ドライバ２３０と、を備える。切替装置本体２１０には、攪拌された接着剤を受けるように攪拌管１２０に接続されるための二液供給通路２７０が設けられる。針先固定ベース２２０には、針先２５０に接続するように、接着剤排出通路２８０が設けられる。
【００３２】
耐摩耗性摺動シート２４０は、切替装置本体２１０と針先固定ベース２２０との間に取り付けられ、且つ耐摩耗性摺動シート開口２４２が設けられる。ドライバ２３０は、耐摩耗性摺動シート２４０を移動させるように、耐摩耗性摺動シート２４０に接続される。切替装置本体２１０と針先固定ベース２２０との間に、好ましくはシュート２９０が更に形成されて、耐摩耗性摺動シート２４０をシュート２９０の中に移動可能に取り付ける。
【００３３】
二液供給通路２７０、接着剤排出通路２８０及び耐摩耗性摺動シート開口２４２が重なる場合、例えば、３つの孔が一直線に合わせられる場合（これに限定されない）、混合された二液接着剤は、二液供給通路２７０、耐摩耗性摺動シート開口２４２及び接着剤排出通路２８０を通過して、針先２５０に達して、接着剤塗布を行うことができる。
【００３４】
ただし、二液供給通路２７０、耐摩耗性摺動シート開口２４２及び接着剤排出通路２８０という三者は、同一の直径を有してもよいし、異なる直径を有してもいが、何れも本考案の精神と保護範囲から逸脱しない。また、この往復式ディスペンサーの接着剤吐出切替装置２００は、３つの孔から形成される開口の交差部分のサイズに応じて、接着剤吐出の流量を決めてもよいが、それも本考案の精神と保護範囲から逸脱しない。
【００３５】
ある実施例において、往復式ディスペンサーの接着剤吐出切替装置２００は、ドライバ２３０によって耐摩耗性摺動シート２４０を移動させ、更に耐摩耗性摺動シート開口２４２を二液供給通路２７０及び接着剤排出通路２８０に位置合わせするように、ドライバ２３０と耐摩耗性摺動シート２４０とを接続する駆動ロッド２６０を更に備える。
【００３６】
図３を参照すると、図に示すように、ドライバ２３０は、耐摩耗性摺動シート２４０を移動させて、接着剤排出通路２８０を開閉するように、耐摩耗性摺動シート開口２４２が移動経路３１０の中で移動できるようにする。
【００３７】
ある実施例において、二液供給通路２７０及び接着剤排出通路２８０は図面における第１の位置３２０に位置し、耐摩耗性摺動シート開口２４２は図面における第２の位置３３０に位置する。ドライバ２３０は、耐摩耗性摺動シート２４０を移動させて、耐摩耗性摺動シート２４０における耐摩耗性摺動シート開口２４２を第１の位置３２０まで移動させ、二液供給通路２７０、耐摩耗性摺動シート開口２４２及び接着剤排出通路２８０を重ね合わせ、更に混合された二液接着剤を針先２５０から接着対象物の表面に吐出する。
【００３８】
ある実施例において、耐摩耗性摺動シート２４０は、テフロンの耐摩耗性摺動シートを含む。
【００３９】
一実施例において、ドライバは、空気圧シリンダ、液圧シリンダ、リンク構造及び／又はカム群を含むが、何れも本考案の精神と保護範囲から逸脱しない。
【００４０】
以上をまとめると、本考案の開示する往復式ディスペンサーの接着剤吐出切替装置は、電子装置の接着剤塗布を正確に行い、且つ開閉時の接着剤に押圧力をかけないように、接着剤塗布の均一性と安定性を効果的に向上させることができる。
【００４１】
上記実施形態では、本考案の具体的な実施例を開示したが、それは本考案を限定するものではなく、当業者であれば、本考案の原理と精神から逸脱せずに、様々な変更と修正を加えることができるため、本考案の保護範囲は添付の実用新案登録請求の範囲によって決められる。
【符号の説明】
【００４２】
１００  二液接着剤塗布設備
１１０  二液弁
１１２  第１の液体供給弁
１１４  第２の液体供給弁
１１６  第１の液体入口
１１８  第２の液体入口
１２０  攪拌管
２００  往復式ディスペンサーの接着剤吐出切替装置
２１０  切替装置本体
２２０  針先固定ベース
２３０  ドライバ
２４０  耐摩耗性摺動シート
２４２  耐摩耗性摺動シート開口
２５０  針先
２６０  駆動ロッド
２７０  二液供給通路
２８０  接着剤排出通路
２９０  シュート
３１０  移動経路
３２０  第１の位置
３３０  第２の位置
【図１】
0003232582.tif 000003
【図２】
0003232582.tif 000004
【図３】
0003232582.tif 000005
【手続補正書】
【提出日】令和3年4月26日(2021.4.26)
【手続補正１】
【補正対象書類名】実用新案登録請求の範囲
【補正対象項目名】全文
【補正方法】変更
【補正の内容】
【実用新案登録請求の範囲】
【請求項１】
二液供給通路が設けられる切替装置本体と、
接着剤排出通路が設けられる針先固定ベースと、
前記切替装置本体と前記針先固定ベースとの間に取り付けられ、且つ耐摩耗性摺動シート開口が設けられる耐摩耗性摺動シートと、
前記二液供給通路、前記接着剤排出通路及び前記耐摩耗性摺動シート開口が重なる場合、混合された二液接着剤が前記二液供給通路、前記耐摩耗性摺動シート開口及び前記接着剤排出通路を通過して、接着剤塗布を行うように、前記耐摩耗性摺動シートを移動させるためのドライバと、
を備える往復式ディスペンサーの接着剤吐出切替装置。
【請求項２】
前記針先固定ベースの前記接着剤排出通路に取り付けられる針先を更に備える請求項１に記載の往復式ディスペンサーの接着剤吐出切替装置。
【請求項３】
前記ドライバと前記耐摩耗性摺動シートとを接続する駆動ロッドを更に備える請求項１乃至２の何れか１項に記載の往復式ディスペンサーの接着剤吐出切替装置。
【請求項４】
前記切替装置本体と前記針先固定ベースとの間に形成されるシュートを更に備える請求項１乃至３の何れか１項に記載の往復式ディスペンサーの接着剤吐出切替装置。
【請求項５】
前記耐摩耗性摺動シートは、ポリテトラフルオロエチレンの耐摩耗性摺動シートを含む請求項１乃至４の何れか１項に記載の往復式ディスペンサーの接着剤吐出切替装置。
【請求項６】
前記ドライバは、空気圧シリンダを含む請求項１乃至５の何れか１項に記載の往復式ディスペンサーの接着剤吐出切替装置。
【請求項７】
前記ドライバは、液圧シリンダを含む請求項１乃至５の何れか１項に記載の往復式ディスペンサーの接着剤吐出切替装置。
【請求項８】
請求項１乃至７の何れか１項に記載の往復式ディスペンサーの接着剤吐出切替装置と、
前記往復式ディスペンサーの接着剤吐出切替装置の前記二液供給通路に接続される攪拌管と、
を備える二液接着剤塗布設備。
【請求項９】
前記攪拌管に接続される二液弁を更に備える請求項８に記載の二液接着剤塗布設備。
【請求項１０】
前記二液弁は、第１の液体供給弁及び第２の液体供給弁を含む請求項９に記載の二液接着剤塗布設備。